【手続補正書】
【提出日】平成23年9月15日(2011.9.15)
【手続補正１】
【補正対象書類名】明細書
【補正対象項目名】０１４２
【補正方法】変更
【補正の内容】
【０１４２】
比較例３：未架橋フォームの製造および耐水性についての試験
未架橋フォームを実施例７〜９に記載の同一の方法、即ち、架橋剤を用いずに製造した。未架橋フォームは、実施例７〜９の架橋フォームより極めて低い耐水性（分類：「低い」）を有した。
本発明の好ましい態様は、以下を包含する。
［１］  スルホネート基によってアニオン的に親水性化されたポリウレタン水性分散体（Ｉ）および架橋剤（ＩＩ）を含有する組成物を発泡させ、および少なくとも部分的に化学架橋させて乾燥させることを含んでなる、発泡物品の製造方法。
［２］  発泡物品は創傷接触材料であることを特徴とする、［１］に記載の方法。
［３］  ポリウレタン分散体（Ｉ）は、スルホネート基のみによってアニオン的に親水性化されていることを特徴とする、［１］または［２］に記載の方法。
［４］  スルホネート基は、対イオンとしてアルカリ金属カチオンを有することを特徴とする、［３］に記載の方法。
［５］  ポリウレタン分散体（Ｉ）は、固体樹脂を基準として、固体樹脂１００ｇあたり０．１〜１５ミリ当量のアニオン性基または潜在的アニオン性基を含むことを特徴とする、［１］〜［４］のいずれかに記載の方法。
［６］  分散体（Ｉ）は、分散体中に存在するポリウレタンを基準として５５重量％〜６５重量％の範囲の固形分を有することを特徴とする、［１］〜［５］のいずれかに記載の方法。
［７］  分散体（Ｉ）を、
Ａ）イソシアネート官能性プレポリマーを、
Ａ１）有機ポリイソシアネート、
Ａ２）４００〜８０００ｇ／ｍｏｌの範囲の数平均分子量および１．５〜６の範囲のＯＨ官能価を有するポリマーポリオール、および
Ａ３）必要に応じて、６２〜３９９ｇ／ｍｏｌの範囲の分子量を有するヒドロキシル官能性化合物、および
Ａ４）必要に応じて、イソシアネート反応性の、アニオン性または潜在的アニオン性および必要に応じて非イオン性の親水性化剤
から製造する工程、および
Ｂ）次いで、その遊離ＮＣＯ基を、
Ｂ１）必要に応じて、３２〜４００ｇ／ｍｏｌの範囲の分子量を有するアミノ官能性化合物と、
Ｂ２）アニオン性または潜在的アニオン性のアミノ官能性親水性化剤
と鎖延長により完全にまたは部分的に反応させる工程、および
該プレポリマーを工程Ｂ）前、工程Ｂ）中または工程Ｂ）後に水中に分散する工程によって得ることを特徴とする、［１］〜［６］のいずれかに記載の方法。
［８］  発泡させるべき組成物は、架橋剤（ＩＩ）として、必要に応じて親水性化された非ブロックトポリイソシアネート、アミドホルムアルデヒド樹脂、アミンホルムアルデヒド樹脂、フェノール樹脂、アルデヒドおよびケトン樹脂、レゾール、フラン樹脂、ウレア樹脂、カルバミン酸エステル樹脂、トリアジン樹脂、メラミン樹脂、ベンゾグアナミン樹脂、シアナミド樹脂およびアニリン樹脂を含有することを特徴とする、［１］〜［７］のいずれかに記載の方法。
［９］  非ブロックトポリイソシアネートを架橋剤（ＩＩ）として含むことを特徴とする、［８］に記載の方法。
［１０］  親水性化非ブロックトポリイソシアネートを架橋剤（ＩＩ）として含むことを特徴とする、［９］に記載の方法。
［１１］  発泡させるべき組成物は、発泡させるべき組成物は、補助剤および添加剤物質（ＩＩＩ）として、脂肪酸アミド、スルホスクシンアミド、ヒドロカルビルスルホネートまたはスルフェート、アルキルポリグリコシド、ＥＯ−ＰＯブロックコポリマーおよび／または脂肪酸塩をフォーム形成剤および安定剤として含有することを特徴とする、［１］〜［１０］のいずれかに記載の方法。
［１２］  ＥＯ−ＰＯブロックコポリマーをフォーム形成剤および安定剤として含むことを特徴とする、［１１］に記載の方法。
［１３］  消毒剤、成長因子、プロテアーゼ阻害剤および非ステロイド抗炎症剤／鎮静剤からなる群からの活性成分をも用いることを特徴とする、［１］〜［１２］のいずれかに記載の方法。
［１４］  殺菌性ビグアニドおよび／またはその塩を活性成分として用いることを特徴とする、［１３］に記載の方法。
［１５］  ［１］〜［１４］のいずれかに記載の方法によって得られる発泡物品。
［１６］  連続気泡微細構造および乾燥状態で０．４ｇ／ｃｍ３未満の密度を有することを特徴とする、［１５］に記載の発泡物品。
［１７］  １００〜１５００％（乾燥フォームの質量を基準として、取り込まれる液体の質量）の範囲のＤＩＮ  ＥＮ  １３７２６−１  第３．２章生理食塩水吸収性および２０００〜８０００ｇ／２４時間×ｍ２の範囲のＤＩＮ  ＥＮ１３７２６−２  第３．２章水蒸気透過率を有することを特徴とする、［１３］または［１６］に記載の発泡物品。
［１８］  活性成分をも含有することを特徴とする、［１３］〜［１７］のいずれかに記載の発泡物品。
［１９］  創傷接触材料であることを特徴とする、［１３］〜［１８］のいずれかに記載の発泡物品。
［２０］  スルホネート基によりアニオン的に親水性化されたポリウレタン水性分散体（Ｉ）および架橋剤（ＩＩ）を含有する組成物。
［２１］  消毒剤、成長因子、プロテアーゼ阻害剤および非ステロイド抗炎症剤／鎮静剤からなる群からの活性成分をさらに含むことを特徴とする、［２０］に記載の組成物。
［２２］  殺菌性ビグアニドおよび／またはその塩を活性成分として含むことを特徴とする、［２１］に記載の組成物。
【手続補正２】
【補正対象書類名】特許請求の範囲
【補正対象項目名】全文
【補正方法】変更
【補正の内容】
【特許請求の範囲】
【請求項１】
スルホネート基によってアニオン的に親水性化されたポリウレタン水性分散体（Ｉ）および架橋剤（ＩＩ）を含有する組成物を発泡させ、および少なくとも部分的に化学架橋させて乾燥させることを含んでなる、発泡物品の製造方法。
【請求項２】
発泡物品は創傷接触材料であることを特徴とする、請求項１に記載の方法。
【請求項３】
ポリウレタン分散体（Ｉ）は、スルホネート基のみによってアニオン的に親水性化されていることを特徴とする、請求項１または２に記載の方法。
【請求項４】
スルホネート基は、対イオンとしてアルカリ金属カチオンを有することを特徴とする、請求項３に記載の方法。
【請求項５】
ポリウレタン分散体（Ｉ）は、固体樹脂を基準として、固体樹脂１００ｇあたり０．１〜１５ミリ当量のアニオン性基または潜在的アニオン性基を含むことを特徴とする、請求項１〜４のいずれかに記載の方法。
【請求項６】
分散体（Ｉ）は、分散体中に存在するポリウレタンを基準として５５重量％〜６５重量％の範囲の固形分を有することを特徴とする、請求項１〜５のいずれかに記載の方法。
【請求項７】
分散体（Ｉ）を、
Ａ）イソシアネート官能性プレポリマーを、
Ａ１）有機ポリイソシアネート、
Ａ２）４００〜８０００ｇ／ｍｏｌの範囲の数平均分子量および１．５〜６の範囲のＯＨ官能価を有するポリマーポリオール、および
Ａ３）必要に応じて、６２〜３９９ｇ／ｍｏｌの範囲の分子量を有するヒドロキシル官能性化合物、および
Ａ４）必要に応じて、イソシアネート反応性の、アニオン性または潜在的アニオン性および必要に応じて非イオン性の親水性化剤
から製造する工程、および
Ｂ）次いで、その遊離ＮＣＯ基を、
Ｂ１）必要に応じて、３２〜４００ｇ／ｍｏｌの範囲の分子量を有するアミノ官能性化合物と、
Ｂ２）アニオン性または潜在的アニオン性のアミノ官能性親水性化剤
と鎖延長により完全にまたは部分的に反応させる工程、および
該プレポリマーを工程Ｂ）前、工程Ｂ）中または工程Ｂ）後に水中に分散する工程によって得ることを特徴とする、請求項１〜６のいずれかに記載の方法。
【請求項８】
発泡させるべき組成物は、架橋剤（ＩＩ）として、必要に応じて親水性化された非ブロックトポリイソシアネート、アミドホルムアルデヒド樹脂、アミンホルムアルデヒド樹脂、フェノール樹脂、アルデヒドおよびケトン樹脂、レゾール、フラン樹脂、ウレア樹脂、カルバミン酸エステル樹脂、トリアジン樹脂、メラミン樹脂、ベンゾグアナミン樹脂、シアナミド樹脂およびアニリン樹脂を含有することを特徴とする、請求項１〜７のいずれかに記載の方法。
【請求項９】
非ブロックトポリイソシアネートを架橋剤（ＩＩ）として含むことを特徴とする、請求項８に記載の方法。
【請求項１０】
親水性化非ブロックトポリイソシアネートを架橋剤（ＩＩ）として含むことを特徴とする、請求項９に記載の方法。
【請求項１１】
発泡させるべき組成物は、発泡させるべき組成物は、補助剤および添加剤物質（ＩＩＩ）として、脂肪酸アミド、スルホスクシンアミド、ヒドロカルビルスルホネートまたはスルフェート、アルキルポリグリコシド、ＥＯ−ＰＯブロックコポリマーおよび／または脂肪酸塩をフォーム形成剤および安定剤として含有することを特徴とする、請求項１〜１０のいずれかに記載の方法。
【請求項１２】
ＥＯ−ＰＯブロックコポリマーをフォーム形成剤および安定剤として含むことを特徴とする、請求項１１に記載の方法。
【請求項１３】
消毒剤、成長因子、プロテアーゼ阻害剤および非ステロイド抗炎症剤／鎮静剤からなる群からの活性成分をも用いることを特徴とする、請求項１〜１２のいずれかに記載の方法。
【請求項１４】
殺菌性ビグアニドおよび／またはその塩を活性成分として用いることを特徴とする、請求項１３に記載の方法。
【請求項１５】
請求項１〜１４のいずれかに記載の方法によって得られる発泡物品。